【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
用紙にトナー像を形成する画像形成器と、
前記画像形成器により用紙に形成されたトナー像を熱及び圧力により定着する定着器と、
表示部を有し、操作者からの選択を受け付ける操作部と、
用紙の幅サイズに対応する複数の選択肢を前記表示部に表示し、前記定着器の用途に制限を掛けるべく操作者によって前記複数の選択肢の中から１つが選択され得るように前記表示部の表示を制御する表示制御部と、
前記定着器を用いる画像形成動作の実行を許容するか否かを制御する制御部と、
を有し、
操作者によって前記複数の選択肢の中からの前記選択がなされた場合、前記制御部は、選択された選択肢に対応する幅サイズである第１の用紙への前記画像形成動作の実行を許容し、選択された選択肢に対応する幅サイズと異なる幅サイズである第２の用紙への前記画像形成動作の実行を禁止することを特徴とする画像形成装置。
【請求項２】
操作者による前記選択がなされていない場合、前記制御部は、用紙の幅サイズによらず、前記画像形成装置にて前記定着器と共に使用可能な用紙への前記画像形成動作の実行を許容することを特徴とする請求項１に記載の画像形成装置。
【請求項３】
前記定着器は、情報を記憶する記憶部を有し、
前記記憶部は、操作者によって前記複数の選択肢の中からの前記選択がなされた場合、選択された選択肢に対応する情報を記憶することを特徴とする請求項１又は２の何れか一項に記載の画像形成装置。
【請求項４】
前記表示制御部は、前記定着器の用途に制限を掛けるべく前記記憶部に記憶されている用紙の幅サイズよりも小さい幅サイズの用紙の再選択を許容するように、前記表示部の表示を制御することを特徴とする請求項３に記載の画像形成装置。
【請求項５】
前記表示制御部は、前記定着器の用途に制限を掛けるべく前記記憶部に記憶されている用紙の幅サイズよりも大きい幅サイズの用紙の再選択が不能となるように、前記表示部の表示を制御することを特徴とする請求項３又は４の何れか一項に記載の画像形成装置。
【請求項６】
前記定着器は用紙上のトナー像を定着するためのニップ部を形成する定着回転体を有し、
前記表示制御部は、前記定着回転体が新品へ交換されたことに伴い前記定着器の用途に制限を掛けるべく、操作者によって前記複数の選択肢の中から１つが選択され得るように前記表示部の表示を制御することを特徴とする請求項１乃至５の何れか一項に記載の画像形成装置。
【請求項７】
前記定着器は、情報を記憶可能な記憶部を備える他の定着器と交換可能であることを特徴とする請求項１乃至６の何れか一項に記載の画像形成装置。
【請求項８】
用紙にトナー像を形成する画像形成器と、前記画像形成器により用紙に形成されたトナー像を熱及び圧力により定着する定着器と、表示部を有して操作者からの選択を受け付ける操作部と、を備える画像形成システムを制御する制御装置であって、
用紙の幅サイズに対応する複数の選択肢を前記表示部に表示し、前記定着器の用途に制限を掛けるべく操作者によって前記複数の選択肢の中から１つが選択され得るように前記表示部の表示を制御する表示制御部と、
前記定着器を用いる画像形成動作の実行を許容するか否かを制御する制御部と、
を有し、
操作者によって前記複数の選択肢の中からの前記選択がなされた場合、前記制御部は、選択された選択肢に対応する幅サイズである第１の用紙への前記画像形成動作の実行を許容し、選択された選択肢に対応する幅サイズと異なる幅サイズである第２の用紙への前記画像形成動作の実行を禁止することを特徴とする制御装置。
【請求項９】
操作者による前記選択がなされていない場合、前記制御部は、用紙の幅サイズによらず、前記画像形成システムにて前記定着器と共に使用可能な用紙への前記画像形成動作の実行を許容することを特徴とする請求項８に記載の制御装置。
【請求項１０】
前記定着器は情報を記憶する記憶部を有し、
前記制御装置は、操作者によって前記複数の選択肢の中からの前記選択がなされた場合、選択された選択肢に対応する情報を前記記憶部に記憶させることを特徴とする請求項８又は９の何れか一項に記載の制御装置。
【請求項１１】
前記表示制御部は、前記定着器の用途に制限を掛けるべく前記記憶部に記憶されている用紙の幅サイズよりも小さい幅サイズの用紙の再選択を許容するように、前記表示部の表示を制御することを特徴とする請求項１０に記載の制御装置。
【請求項１２】
前記表示制御部は、前記定着器の用途に制限を掛けるべく前記記憶部に記憶されている用紙の幅サイズよりも大きい幅サイズの用紙の再選択が不能となるように、前記表示部の表示を制御することを特徴とする請求項１０又は１１の何れか一項に記載の制御装置。
【請求項１３】
前記定着器は用紙上のトナー像を定着するためのニップ部を形成する定着回転体を有し、
前記表示制御部は、前記定着回転体が新品へ交換されたことに伴い前記定着器の用途に制限を掛けるべく、操作者によって前記複数の選択肢の中から１つが選択され得るように前記表示部の表示を制御することを特徴とする請求項８乃至１２の何れか一項に記載の制御装置。
【請求項１４】
用紙にトナー像を形成する画像形成器と、
装着部と、
前記画像形成器により用紙に形成されたトナー像を熱及び圧力により定着する定着器であって、他の定着器と交換可能に前記装着部に装着される定着器と、
表示部を有し、操作者からの選択を受け付ける操作部と、
用紙の幅サイズに対応する複数の選択肢を前記表示部に表示し、前記定着器の用途に制限を掛けるべく操作者によって前記複数の選択肢の中から１つが選択され得るように前記表示部の表示を制御する表示制御部と、
前記定着器を用いる画像形成動作の実行を許容するか否かを制御する制御部と、
を有し、
前記定着器は、前記操作部にて前記複数の選択肢の中から選択された幅サイズに対応する情報を記憶する記憶部を有し、
前記制御部は、前記記憶部に記憶されている前記情報に対応する幅サイズである第１の用紙への前記画像形成動作の実行を許容し、前記記憶部に記憶されている前記情報に対応する幅サイズと異なる幅サイズである第２の用紙への前記画像形成動作の実行を禁止することを特徴とする画像形成装置。
【請求項１５】
前記記憶部に前記情報が記憶されていない場合、前記制御部は、用紙の幅サイズによらず、前記画像形成装置にて前記定着器と共に使用可能な用紙への前記画像形成動作の実行を許容することを特徴とする請求項１４に記載の画像形成装置。
【手続補正２】
【補正対象書類名】明細書
【補正対象項目名】発明の名称
【補正方法】変更
【補正の内容】
【発明の名称】画像形成装置及び制御装置
【手続補正３】
【補正対象書類名】明細書
【補正対象項目名】０００１
【補正方法】変更
【補正の内容】
【０００１】
本発明は、用紙にトナー像を形成する画像形成装置及び制御装置に関する。この画像形成装置としては、例えば、複写機、プリンタ、ＦＡＸ、及びこれらの機能を複数備えた複合機等を挙げることができる。
【手続補正４】
【補正対象書類名】明細書
【補正対象項目名】００１０
【補正方法】変更
【補正の内容】
【００１０】
本発明に係る画像形成装置の代表的な構成は、
用紙にトナー像を形成する画像形成器と、
前記画像形成器により用紙に形成されたトナー像を熱及び圧力により定着する定着器と、
表示部を有し、操作者からの選択を受け付ける操作部と、
用紙の幅サイズに対応する複数の選択肢を前記表示部に表示し、前記定着器の用途に制限を掛けるべく操作者によって前記複数の選択肢の中から１つが選択され得るように前記表示部の表示を制御する表示制御部と、
前記定着器を用いる画像形成動作の実行を許容するか否かを制御する制御部と、
を有し、
操作者によって前記複数の選択肢の中からの前記選択がなされた場合、前記制御部は、選択された選択肢に対応する幅サイズである第１の用紙への前記画像形成動作の実行を許容し、選択された選択肢に対応する幅サイズと異なる幅サイズである第２の用紙への前記画像形成動作の実行を禁止することを特徴とする。
【手続補正５】
【補正対象書類名】明細書
【補正対象項目名】００１１
【補正方法】変更
【補正の内容】
【００１１】
また、本発明に係る制御装置の代表的な構成は、
用紙にトナー像を形成する画像形成器と、前記画像形成器により用紙に形成されたトナー像を熱及び圧力により定着する定着器と、表示部を有して操作者からの選択を受け付ける操作部と、を備える画像形成システムを制御する制御装置であって、
用紙の幅サイズに対応する複数の選択肢を前記表示部に表示し、前記定着器の用途に制限を掛けるべく操作者によって前記複数の選択肢の中から１つが選択され得るように前記表示部の表示を制御する表示制御部と、
前記定着器を用いる画像形成動作の実行を許容するか否かを制御する制御部と、
を有し、
操作者によって前記複数の選択肢の中からの前記選択がなされた場合、前記制御部は、選択された選択肢に対応する幅サイズである第１の用紙への前記画像形成動作の実行を許容し、選択された選択肢に対応する幅サイズと異なる幅サイズである第２の用紙への前記画像形成動作の実行を禁止することを特徴とする。
【手続補正６】
【補正対象書類名】明細書
【補正対象項目名】００２７
【補正方法】変更
【補正の内容】
【００２７】
〔定着器〕
図１は図２の画像形成装置１における定着器１００の部分の拡大模式図である。定着器１００は、定着ユニットとして、画像形成装置１の装置本体１Ａの装着部（定着器装着部）５０に対して所定の要領（手順）にて取り外し可能（交換可能）に装着されている。定着器１００は装置本体１Ａの装着部５０に対して所定に位置決め固定されて装着されている状態において、装置本体１Ａ側の制御部、電力供給部、駆動機構部等と所定に電気的、機械的に結合していて、装置本体側から電力供給や駆動力を受ける。
【手続補正７】
【補正対象書類名】明細書
【補正対象項目名】００３７
【補正方法】変更
【補正の内容】
【００３７】
本実施例においては、定着器基板１０７に、画像形成装置（定着器）の用途に制限を掛けるための情報（定着器識別情報）を保持する保持部１１７が搭載されている。本実施例において、この保持部１１７は、ＲＯＭ、ＲＡＭ、フラッシュメモリなどに代表される不揮発性のメモリ（情報を記憶可能な記憶部）である（定着器と共に画像形成装置に対して着脱可能に設けられた記憶部）。
【手続補正８】
【補正対象書類名】明細書
【補正対象項目名】００４８
【補正方法】変更
【補正の内容】
【００４８】
操作部７０１の表示部７０１Ａには、制御部（表示制御部）により、画面選択操作を経て、図４の（ａ）ように用紙幅サイズ設定画面を表示（用紙の幅サイズに対応する複数の選択肢を表示）され得る。この紙幅サイズ設定画面を通じて、操作者は、装置本体１Ａの装着部５０に装着されている定着器１００のメモリ１１７のサイズ記憶領域７０３に対して専用幅サイズを設定する若しくは設定変更することが可能になっている。
【手続補正９】
【補正対象書類名】明細書
【補正対象項目名】００７９
【補正方法】変更
【補正の内容】
【００７９】
なお、例えば、用紙Ｐとしてグロスの低い普通紙を用い、テキスト文書をプリントするような場合には、たとえ定着ローラ１０１にコバ傷が生じている場合であっても、画像への影響はほとんどない。このため、サイズ記憶領域７０３にサイズ情報が記録されていない場合は、その定着器１００に対してすべての幅サイズの用紙Ｐを通紙可能とすることもできる。即ち、制御部は、用紙の幅サイズによらず、定着器と共に使用可能な用紙への画像形成動作の実行を許容する。